(57)【特許請求の範囲】
【請求項１】
静止画撮影及び動画記録が可能な撮像装置であって、
被写体像を撮像する撮像手段と、
前記撮像手段により撮像された画像をスルー表示するライブビュー状態において、静止画撮影を行うための撮影指示に応じて静止画撮影を開始する静止画撮影手段と、
前記撮像手段により撮像された画像をスルー表示するライブビュー状態における動画記録が可能な状態において、静止画撮影を行うための前記撮影指示を行う第１の操作手段とは異なる第２の操作手段からの動画記録を行うための記録指示に応じて動画記録を開始する動画記録手段と、
前記静止画撮影を行うための前記撮影指示により通知される撮影指示信号に応じて前記動画記録手段が動画記録を開始するように設定する設定手段と、
前記設定手段により前記撮影指示信号に応じて動画記録を開始することが設定されておらず、かつ前記動画記録が可能な状態において、前記撮影指示信号が通知された場合、前記撮影指示信号に応じて静止画撮影を開始するように前記静止画撮影手段を制御し、
前記設定手段により前記撮影指示信号に応じて動画記録を開始するように設定され、かつ前記動画記録が可能な状態において、前記撮影指示信号が通知された場合、前記動画記録を開始するように前記動画記録手段を制御する制御手段と、
前記静止画撮影手段を遠隔操作するためのリモートコントローラと接続する接続手段と、を有し、
前記撮影指示信号は、前記接続手段に接続されたリモートコントローラからの撮影指示に応じて通知され、
前記制御手段は、前記接続手段に前記リモートコントローラが接続されていない場合は、前記設定手段により前記撮影指示信号に応じて動画記録を開始するように設定され、かつ前記動画記録が可能な状態であっても、前記撮影指示信号が通知された場合、動画記録ではなく、前記撮影指示信号に応じて静止画撮影を開始するように前記静止画撮影手段を制御することを特徴とする撮像装置。
【請求項２】
静止画撮影及び動画記録が可能な撮像装置であって、
被写体像を撮像する撮像手段と、
前記撮像手段により撮像された画像をスルー表示するライブビュー状態において、静止画撮影を行うための撮影指示に応じて静止画撮影を開始する静止画撮影手段と、
前記撮像手段により撮像された画像をスルー表示するライブビュー状態における動画記録が可能な状態において、静止画撮影を行うための前記撮影指示を行う第１の操作手段とは異なる第２の操作手段からの動画記録を行うための記録指示に応じて動画記録を開始する動画記録手段と、
前記静止画撮影を行うための前記撮影指示により通知される撮影指示信号に応じて前記動画記録手段が動画記録を開始するように設定する設定手段と、
前記設定手段により前記撮影指示信号に応じて動画記録を開始することが設定されておらず、かつ前記動画記録が可能な状態において、前記撮影指示信号が通知された場合、前記撮影指示信号に応じて静止画撮影を開始するように前記静止画撮影手段を制御し、
前記設定手段により前記撮影指示信号に応じて動画記録を開始するように設定され、かつ前記動画記録が可能な状態において、前記撮影指示信号が通知された場合、前記動画記録を開始するように前記動画記録手段を制御する制御手段と、
前記静止画撮影手段を遠隔操作するためのリモートコントローラと接続する接続手段と、を有し、
前記撮影指示信号は、前記接続手段に接続されたリモートコントローラからの撮影指示に応じて通知され、
前記設定手段は、前記撮影指示信号に応じては動画記録を開始しない第１の設定と、前記第１の操作手段への操作に応じて通知される撮影指示信号に応じても動画記録を開始する第２の設定と、前記第１の操作手段への操作に応じて通知される撮影指示信号に応じては前記動画記録は開始せずに、前記リモートコントローラへの操作に応じて通知される撮影指示信号に応じて前記動画記録を開始する第３の設定とを含む複数の設定候補のうちいずれかに設定可能であることを特徴とする撮像装置。
【請求項３】
前記リモートコントローラは、前記接続手段と電気的に接続することを特徴とする請求項１又は２に記載の撮像装置。
【請求項４】
前記接続手段に前記リモートコントローラが接続されているか否かを検知する接続検知手段を更に有することを特徴とする請求項１乃至３のいずれか１項に記載の撮像装置。
【請求項５】
前記設定手段で設定可能な選択肢を表示手段に表示するように制御する表示制御手段を更に有し、
前記設定手段は、前記表示制御手段によって表示された前記選択肢の中からユーザに選択された内容を設定することを特徴とする請求項１乃至４のいずれか１項に記載の撮像装置。
【請求項６】
前記制御手段は、前記設定手段により前記撮影指示信号に応じて動画記録を開始するように設定され、かつ前記動画記録が可能な状態において、前記第２の操作手段からの記録指示があった場合に動画記録を開始するように前記動画記録手段を制御することを特徴とする請求項１乃至５のいずれか１項に記載の撮像装置。
【請求項７】
前記設定手段は、前記動画記録が可能な状態としての動画モードにおいてのみ、前記撮影指示信号に応じて前記動画記録手段が動画記録を開始する設定が可能であり、
前記制御手段は、前記ライブビュー状態において、前記撮影指示信号に応じて動画記録を開始するように前記設定手段で設定されている場合には警告を表示することを特徴とする請求項１乃至６のいずれか１項に記載の撮像装置。
【請求項８】
撮像手段により撮像された画像をスルー表示するライブビュー状態において、静止画撮影を行うための撮影指示に応じて静止画撮影を開始する静止画撮影手段と、前記撮像手段により撮像された画像をスルー表示するライブビュー状態における動画記録が可能な状態において、静止画撮影を行うための前記撮影指示を行う第１の操作手段とは異なる第２の操作手段からの動画記録を行うための記録指示に応じて動画記録を開始する動画記録手段と、前記静止画撮影手段を遠隔操作するためのリモートコントローラと接続する接続手段と、を有する撮像装置の制御方法であって、
前記静止画撮影を行うための前記撮影指示により通知される撮影指示信号に応じて前記動画記録手段が動画記録を開始するように設定する設定工程と、
前記設定工程により前記撮影指示信号に応じて動画記録を開始することが設定されておらず、かつ前記動画記録が可能な状態において、前記撮影指示信号が通知された場合、前記撮影指示信号に応じて静止画撮影を開始するように制御し、
前記設定工程により前記撮影指示信号に応じて動画記録を開始するように設定され、かつ前記動画記録が可能な状態において、前記撮影指示信号が通知された場合、前記動画記録を開始するように制御する制御工程と、を有し、
前記撮影指示信号は、前記接続手段に接続されたリモートコントローラからの撮影指示に応じて通知され、
前記制御工程では、前記接続手段に前記リモートコントローラが接続されていない場合は、前記設定工程により前記撮影指示信号に応じて動画記録を開始するように設定され、かつ前記動画記録が可能な状態であっても、前記撮影指示信号が通知された場合、動画記録ではなく、前記撮影指示信号に応じて静止画撮影を開始するように前記静止画撮影手段を制御することを特徴とする制御方法。
【請求項９】
撮像手段により撮像された画像をスルー表示するライブビュー状態において、静止画撮影を行うための撮影指示に応じて静止画撮影を開始する静止画撮影手段と、前記撮像手段により撮像された画像をスルー表示するライブビュー状態における動画記録が可能な状態において、静止画撮影を行うための前記撮影指示を行う第１の操作手段とは異なる第２の操作手段からの動画記録を行うための記録指示に応じて動画記録を開始する動画記録手段と、前記静止画撮影手段を遠隔操作するためのリモートコントローラと接続する接続手段と、を有する撮像装置の制御方法であって、
前記静止画撮影を行うための前記撮影指示により通知される撮影指示信号に応じて前記動画記録手段が動画記録を開始するように設定する設定工程と、
前記設定国定により前記撮影指示信号に応じて動画記録を開始することが設定されておらず、かつ前記動画記録が可能な状態において、前記撮影指示信号が通知された場合、前記撮影指示信号に応じて静止画撮影を開始するように前記静止画撮影手段を制御し、
前記設定工程により前記撮影指示信号に応じて動画記録を開始するように設定され、かつ前記動画記録が可能な状態において、前記撮影指示信号が通知された場合、前記動画記録を開始するように前記動画記録手段を制御する制御工程と、を有し、
前記撮影指示信号は、前記接続手段に接続されたリモートコントローラからの撮影指示に応じて通知され、
前記設定工程では、前記撮影指示信号に応じては動画記録を開始しない第１の設定と、前記第１の操作手段への操作に応じて通知される撮影指示信号に応じても動画記録を開始する第２の設定と、前記第１の操作手段への操作に応じて通知される撮影指示信号に応じては前記動画記録は開始せずに、前記リモートコントローラへの操作に応じて通知される撮影指示信号に応じて前記動画記録を開始する第３の設定とを含む複数の設定候補のうちいずれかに設定可能であることを特徴とする制御方法。
【請求項１０】
コンピュータを、請求項１乃至７のいずれか１項に記載された撮像装置の各手段として機能させるためのプログラム。
【請求項１１】
コンピュータを、請求項１乃至７のいずれか１項に記載された撮像装置の各手段として機能させるためのプログラムを記憶したコンピュータによる読み取りが可能な記憶媒体。
【発明の詳細な説明】
【技術分野】
【０００１】
本発明は、デジタルスチルカメラ等の撮像装置に関し、特に動画記録機能を備えた撮像装置に関するものである。
【背景技術】
【０００２】
動画撮影が可能なデジタルカメラにおいて、静止画の撮影指示と、動画の撮影指示とを同一の撮影部材に割り当て、静止画撮影モードであるか動画撮影モードであるかに応じて操作部材の機能を静止画撮影か動画撮影かに切り替えるものがある（特許文献１）。一方で、静止画撮影を指示するためのシャッタボタンと、動画撮影を指示するための動画ボタンとを別個に設けたものがある。特許文献１では、静止画撮影の撮影準備を半押しで指示し、静止画撮影を全押しで指示するレリーズボタンと、動画撮影の開始を指示する動画ボタンとを別個に設けたデジタル一眼レフカメラが開示されている。このようにすれば、どの動作状態（例えば動画撮影モード）であっても、レリーズボタンで静止画を撮影できるので、静止画の撮影を重要視している場合には好適である。
【０００３】
また、手振れの影響をなくすために、カメラボディではなく、リモートで撮影指示を行うことも行われている。特許文献３には、カメラに接続されたケーブルレリーズを操作すると、シャッタボタンの全押しで発生する撮影指示信号が発生し、これに応じて撮影が行われることが開示されている。
【先行技術文献】
【特許文献】
【０００４】
【特許文献１】特開２００６−０３３３８１号公報
【特許文献２】特開２０１０−０８１３５１号公報
【特許文献３】特開平０７−０３６０７８号公報
【発明の概要】
【発明が解決しようとする課題】
【０００５】
動画撮影においても、手振れの影響を無くしてリモートで撮影開始指示をしたいという要望がある。しかし、特許文献２のように、レリーズボタンが静止画撮影専用であるカメラに、特許文献３のように、レリーズボタンの全押しと同じ信号を発するケーブルレリーズを接続しても、動画の撮影は行えない。一方、特許文献１のように、動画撮影モードである場合のレリーズボタンの機能を動画撮影開始指示に切り換えてしまうと、常にレリーズボタンで静止画が撮影できるというメリットが無くなり、静止画撮影を重要視するユーザにとっては好ましくない。
【０００６】
また、静止画撮影のためのレリーズボタンは、手振れの影響を抑えられる保持姿勢でユーザが保持しやすい場所に配置されていることが多い。そのため、動画撮影を重要視するユーザにとっては、カメラを手持ちで動画を撮影する際にも、静止画同様に手振れを抑えられる姿勢でカメラを保持して動画撮影を行えると好適である。
【０００７】
本発明は、上記課題に鑑みてなされ、静止画と動画とが撮影できる撮像装置において、動画撮影を重要視するユーザが、静止画同様に手振れの影響を抑えた方法で動画撮影の開始指示を行えるようにした撮像装置を提供することを目的とする。
【課題を解決するための手段】
【０００８】
上記課題を解決し、目的を達成するために、本発明の撮像装置は、静止画撮影及び動画記録が可能な撮像装置であって、被写体像を撮像する撮像手段と、前記撮像手段により撮像された画像をスルー表示するライブビュー状態において、静止画撮影を行うための撮影指示に応じて静止画撮影を開始する静止画撮影手段と、前記撮像手段により撮像された画像をスルー表示するライブビュー状態における動画記録が可能な状態において、静止画撮影を行うための前記撮影指示を行う第１の操作手段とは異なる第２の操作手段からの動画記録を行うための記録指示に応じて動画記録を開始する動画記録手段と、前記静止画撮影を行うための前記撮影指示により通知される撮影指示信号に応じて前記動画記録手段が動画記録を開始するように設定する設定手段と、前記設定手段により前記撮影指示信号に応じて動画記録を開始することが設定されておらず、かつ前記動画記録が可能な状態において、前記撮影指示信号が通知された場合、前記撮影指示信号に応じて静止画撮影を開始するように前記静止画撮影手段を制御し、前記設定手段により前記撮影指示信号に応じて動画記録を開始するように設定され、かつ前記動画記録が可能な状態において、前記撮影指示信号が通知された場合、前記動画記録を開始するように前記動画記録手段を制御する制御手段と、前記静止画撮影手段を遠隔操作するためのリモートコントローラと接続する接続手段と、を有し、前記撮影指示信号は、前記接続手段に接続されたリモートコントローラからの撮影指示に応じて通知され、前記制御手段は、前記接続手段に前記リモートコントローラが接続されていない場合は、前記設定手段により前記撮影指示信号に応じて動画記録を開始するように設定され、かつ前記動画記録が可能な状態であっても、前記撮影指示信号が通知された場合、動画記録ではなく、前記撮影指示信号に応じて静止画撮影を開始するように前記静止画撮影手段を制御する。
また、本発明の撮像装置は、静止画撮影及び動画記録が可能な撮像装置であって、被写体像を撮像する撮像手段と、前記撮像手段により撮像された画像をスルー表示するライブビュー状態において、静止画撮影を行うための撮影指示に応じて静止画撮影を開始する静止画撮影手段と、前記撮像手段により撮像された画像をスルー表示するライブビュー状態における動画記録が可能な状態において、静止画撮影を行うための前記撮影指示を行う第１の操作手段とは異なる第２の操作手段からの動画記録を行うための記録指示に応じて動画記録を開始する動画記録手段と、前記静止画撮影を行うための前記撮影指示により通知される撮影指示信号に応じて前記動画記録手段が動画記録を開始するように設定する設定手段と、前記設定手段により前記撮影指示信号に応じて動画記録を開始することが設定されておらず、かつ前記動画記録が可能な状態において、前記撮影指示信号が通知された場合、前記撮影指示信号に応じて静止画撮影を開始するように前記静止画撮影手段を制御し、前記設定手段により前記撮影指示信号に応じて動画記録を開始するように設定され、かつ前記動画記録が可能な状態において、前記撮影指示信号が通知された場合、前記動画記録を開始するように前記動画記録手段を制御する制御手段と、前記静止画撮影手段を遠隔操作するためのリモートコントローラと接続する接続手段と、を有し、前記撮影指示信号は、前記接続手段に接続されたリモートコントローラからの撮影指示に応じて通知され、前記設定手段は、前記撮影指示信号に応じては動画記録を開始しない第１の設定と、前記第１の操作手段への操作に応じて通知される撮影指示信号に応じても動画記録を開始する第２の設定と、前記第１の操作手段への操作に応じて通知される撮影指示信号に応じては前記動画記録は開始せずに、前記リモートコントローラへの操作に応じて通知される撮影指示信号に応じて前記動画記録を開始する第３の設定とを含む複数の設定候補のうちいずれかに設定可能である。
【発明の効果】
【０００９】
本発明によれば、静止画撮影の操作性を損なわず、静止画撮影用の操作部材で動画撮影を開始することが可能になる。
【図面の簡単な説明】
【００１０】
【図１】本発明に係る一実施形態の撮像装置の構成を示すブロック図。
【図２】本実施形態の撮像装置の外観図。
【図３】撮影指示信号に応じた動画記録開始設定処理を示すフローチャート。
【図４】撮影指示信号に応じた動画記録開始設定を行うためのＧＵＩ画面（ａ）と撮影指示信号に応じた動画記録開始設定が不可の場合のＧＵＩ画面（ｂ）をそれぞれ例示する図。
【図５】ライブビュー中に動画記録または静止画撮影を開始する処理を示すフローチャート。
【図６】図５の動画記録／静止画撮影開始判定処理を示すフローチャート。
【図７】撮影指示信号に応じた動画記録開始設定時のライブビュー画面を例示する図。
【発明を実施するための形態】
【００１１】
以下に、本発明を実施するための形態について添付図面を参照して詳細に説明する。
【００１２】
＜装置構成＞図１及び図２を参照して、本発明に係る実施形態の撮像装置１００（本実施形態では、レンズ交換式のデジタル一眼レフカメラを例に挙げる）の機能及び外観について説明する。
【００１３】
図１において、レンズユニット１５０は、交換可能な撮影レンズ１５５を搭載するレンズユニットである。撮影レンズ１５５は通常、複数枚のレンズから構成されるが、ここでは説明の便宜上、１枚のレンズのみで簡略化して示している。通信端子１５６はレンズユニット１５０が撮像装置１００と通信を行うための通信端子であり、通信端子１１０は撮像装置１００がレンズユニット１５０と通信を行うための通信端子である。レンズユニット１５０は、この通信端子１５６，１１０を介してマイクロコンピュータ１４０と通信し、内部のレンズシステム制御回路１５４によって絞り駆動回路１５２を介して絞り１５１の制御を行う。また、レンズユニット１５０は、この通信端子１５６，１１０を介してマイクロコンピュータ１４０と通信し、ＡＦ駆動回路１５３を介して、撮影レンズ１５５の位置を変位させることで焦点を合わせる。
【００１４】
ＡＥセンサ１１５は、レンズユニット１５０を通して被写体の輝度を測光する。
【００１５】
ＡＦセンサ１１１は、マイクロコンピュータ１４０にデフォーカス量を出力する。マイクロコンピュータ１４０はデフォーカス量に基づいてレンズユニット１５０を制御する。
【００１６】
クイックリターンミラー１１２は、露光の際にマイクロコンピュータ１４０から指示されて、不図示のアクチュエータによりアップダウンされる。
【００１７】
ユーザは、ペンタプリズム１１４とファインダ１１６を介して、フォーカシングスクリーン１１３を観察することで、レンズユニット１５０を通して得た被写体の光学像の焦点や構図の確認が可能となる。
【００１８】
フォーカルプレーンシャッタ１１７は、マイクロコンピュータ１４０の制御により撮像素子１２０の露光時間を自由に制御できるフォーカルプレーンシャッタである。
【００１９】
光学フィルタ１１８は一般的にローパスフィルタなどから構成され、フォーカルプレーンシャッタ１１７から入射される光の高周波成分をカットして、撮像素子１２０に被写体像を導光する。
【００２０】
撮像素子１２０は、一般的にＣＣＤやＣＭＯＳ等からなるイメージセンサであり、レンズユニット１５０を通して撮像素子１２０上に結像された被写体像を光電変換して電気信号として取り込む。
【００２１】
ＡＭＰ回路１２１は、取り込まれた電気信号を、設定されている撮影感度に応じたゲインで増幅する。
【００２２】
Ａ／Ｄ変換回路１２２は撮像素子１２０によって電気信号に変換されたアナログ信号をデジタル信号に変換する。
【００２３】
画像処理回路１２３は、Ａ／Ｄ変換回路１２２によってデジタル信号に変換された画像データに対して、フィルタ処理、色変換処理、ガンマー／ニー処理を行い、メモリコントローラ１２７に出力する。また、画像処理回路１２３は、不図示のＤ／Ａ変換回路も内蔵している。画像処理回路１２３はＡ／Ｄ変換回路１２２によってデジタル信号に変換された画像データやメモリコントローラ１２７により入力される画像データをアナログ信号に変換して液晶駆動回路１２４を介して液晶表示部１２５に出力することもできる。これらの画像処理回路１２３による画像処理及び表示処理は、マイクロコンピュータ１４０により切り替えられる。また、マイクロコンピュータ１４０は、撮影画像のカラーバランス情報をもとにホワイトバランス調整を行う。
【００２４】
液晶表示部１２５は画像を表示するための背面モニタである。画像を表示するディスプレイであれば液晶方式に限らず、有機ＥＬなど他の方式のディスプレイであってもよい。
【００２５】
メモリコントローラ１２７は、画像処理回路１２３から入力された未処理の画像データをバッファメモリ１２６に格納したり、或いは画像処理済みの画像データを記録媒体１２８に格納したりする。また、反対にバッファメモリ１２６や記録媒体１２８から画像データを取り込んで画像処理回路１２３に出力したりもする。また、メモリコントローラ１２７は、外部インタフェース１２９を介して送信される画像データを記録媒体１２８に格納したり、反対に記録媒体１２８に格納されている画像データを外部インタフェース１２９を介して外部機器に出力することも可能である。外部インタフェースとしては、ＵＳＢ、ＩＥＥＥ、ＨＤＭＩなどのインタフェースが例として挙げられる。
【００２６】
記録媒体１２８は、半導体メモリカードなどの撮像装置１００に着脱可能な記録媒体である。ただし内蔵メモリであってもよい。タイミング制御回路１３２を介してマイクロコンピュータ１４０は、撮像素子１２０の駆動タイミングを制御する。
【００２７】
電源制御回路１３５は、ＡＣ電源部１３０、もしくは２次電池部１３１より供給され電源を制御する回路である。電源制御回路１３５は、マイクロコンピュータ１４０から制御指令を受けて電源のオン／オフを行う。また電源制御回路１３５は、電源状態検知回路１３４により検知された現在の電源状態の情報や電源種類検知回路１３３により検知された現在の電源の種類の情報をマイクロコンピュータ１４０に通知する。
【００２８】
マイクロコンピュータ１４０は、シャッタ制御回路１３６を介してフォーカルプレーンシャッタ１１７を制御する。
【００２９】
光学フィルタ振動制御回路１３７は、マイクロコンピュータ１４０の制御指令に従い、所定の振動（振幅、振動時間、振動の軸方向）で光学フィルタ１１８に接続されている圧電素子１１９を振動させる。
【００３０】
不揮発性メモリ１３８はＥＥＰＲＯＭなどの不揮発性の記録媒体であり、ユーザが任意に設定したシャッタ速度、絞り値、撮影感度などの設定値やその他の各種データを撮像装置１００の電源がオンされていない状態でも保存することができる。
【００３１】
リモートコントローラ端子接続検知回路１３９は、撮像装置１００上のリモートコントローラ接続端子２１４（図２参照）にリモートコントローラ３００が接続されているか否かを検出し、マイクロコンピュータ１４０に通知する。
【００３２】
操作部１７０は、ユーザからの操作を受け付ける入力部としての各種操作部材である。操作部１７０には、図２に示すように、少なくとも、レリーズ釦２０１、メイン電子ダイヤル２０２、サブ電子ダイヤル２０３、電源スイッチ２０４、プロテクト釦２０５、メニュー釦２０６、削除釦２０７、拡大モード釦２０８、再生指示釦２０９、シングル／マルチ切り替え釦２１０、マルチコントローラ２１１が含まれる。
【００３３】
マイクロコンピュータ１４０は、撮像装置１００に含まれる各部を制御する制御部である。マイクロコンピュータ１４０は、不揮発性メモリ１３８に記録されたプログラムを、ＲＡＭなどの揮発性メモリのワークエリアに展開し、実行することで後述するフローチャートの各種処理を実行する。
【００３４】
図２は、撮像装置１００を正面から見た外観図（ａ）及び背面から見た外観図（ｂ）であり、図１と共通する部分は、同じ符号を付している。
【００３５】
レリーズ釦２０１は、撮影の準備指示及び撮影指示を行うための操作部であり、ユーザがこの釦を半押しすることで、マイクロコンピュータ１４０へ撮影準備指示が通知され、被写体の輝度の測定や合焦を行う。また、この釦を全押しすることで、マイクロコンピュータ１４０へ撮影動作指示が通知され、シャッタが切られ画像の撮影が行われる。以下では説明の便宜上、レリーズ釦２０１の半押しの状態でマイクロコンピュータ１４０に電気的に通知される信号をＳｗ１、全押しの状態でマイクロコンピュータ１４０に電気的に通知される信号をＳｗ２（撮影指示信号）と呼ぶこととする。
【００３６】
メイン電子ダイヤル２０２は回転操作部材であり、ユーザは、このメイン電子ダイヤル２０２を回すことでシャッタ速度や絞りなどの設定値の設定を行ったり、拡大モードでの拡大倍率の微調整を行う。
【００３７】
サブ電子ダイヤル２０３は回転操作部材であり、ユーザは、このサブ電子ダイヤル２０３を回すことで絞りや露出補正などの設定値の設定を行ったり、画像表示状態での画像の１枚送り操作などを行う。
【００３８】
電源スイッチ２０４は電源のＯＮまたはＯＦＦを行うための操作部材である。
【００３９】
プロテクト釦２０５は、撮像装置１００に内蔵あるいは装着された記録媒体１２８に保存されている画像に対して、プロテクトやレーティングといった処理を施すための釦である。
【００４０】
メニュー釦２０６は、各種設定画面を液晶表示部１２５に表示させるための釦である。
【００４１】
削除釦２０７は、撮像装置１００に内蔵あるいは装着された記録媒体１２８に保存されている画像の削除を指示する釦である。
【００４２】
拡大モード釦２０８は、再生状態において、拡大モードへの遷移指示（拡大モードの開始指示）、及び拡大モードから抜ける指示（拡大モードの終了指示）を行う操作を受付ける釦である。
【００４３】
再生指示釦２０９は、撮像装置１００に内蔵あるいは装着された記録媒体１２８に保存されている画像を液晶表示部１２５に表示させる釦である。
【００４４】
シングル／マルチ切り替え釦２１０は、測定した被写体の輝度をロックするように指示するか、再生状態においてシングル表示にするかマルチ表示にするかを切り替える指示を行う釦である。
【００４５】
マルチコントローラ２１１は、オートフォーカスの開始ポイントである測距点の設定を行ったり、拡大画像表示状態において、拡大枠（拡大している範囲）の移動を行ったりするための複数方向に操作可能な操作部材である。
【００４６】
ライブビュー開始釦２１２は、ユーザがこの釦を押下することで、撮像装置１００をライブビュー状態に遷移させることが可能になる。ライブビュー状態とは、撮像素子１２０により撮像された画像をスルー表示する状態である。
【００４７】
動画開始釦２１３は、ユーザがこの釦を押下することで、マイクロコンピュータ１４０へ動画記録指示が通知され、動画記録を開始することが可能になる。
【００４８】
撮影モードダイヤル２１５は、ユーザが複数の撮影モードの中から所望の撮影モードを選択して設定するためのダイヤル操作部材である。複数の撮影モードには、マニュアルモード、シャッタ速度優先モード、絞り優先モード、プログラムAEモード、バルブモード、全自動モード、ストロボ発行禁止モード、クリエイティブ全自動モード、ポートレートモード、風景モード、クローズアップモード、スポーツモード、夜景ポートレートモード、動画モードがあるものとする。
【００４９】
リモートコントローラ接続端子２１４は、リモートコントローラ３００を接続するための端子であり、レリーズ釦２０１と電気的に接続されている。
【００５０】
リモートコントローラ３００は、外部から遠隔操作によりレリーズ釦２０１を押下せずに画像の撮影を行うために有線で接続し使用されるリモートコントローラである。
【００５１】
リモートレリーズ釦３０１は、リモートコントローラ３００に設けられたレリーズ釦である。リモートレリーズ釦３０１も半押しと全押しの２段階の操作が可能である。すなわち、リモートコントローラ接続端子２１４にモートコントローラ３００を接続した状態で、リモートレリーズ釦３０１を半押しするとマイクロコンピュータ１４０にＳｗ１が通知され、全押しするとＳｗ２が通知される。ユーザは、リモートコントローラ接続端子２１４にリモートコントローラ３００を接続し、リモートレリーズ釦３０１を押下することで、レリーズ釦２０１を押下せずに画像の撮影を行うことが可能となる。
【００５２】
＜動画記録開始設定＞以下、図３及び図４を参照して、本実施形態の撮像装置１００に対して、撮影指示信号（Ｓｗ２）に応じて動画記録を開始するモードに設定するための処理について説明する。なお、以下の処理は、マイクロコンピュータ１４０が、不揮発性メモリ１３８に記録されたプログラムを、ＲＡＭなどの揮発性メモリのワークエリアに展開し、実行することで実現される。
【００５３】
図３において、Ｓ３１０では、マイクロコンピュータ１４０は、Ｓｗ２に応じた動画記録開始設定モードがオンされたか判定し、オンされた場合にはＳ３１１に進み、オフのままならば本処理を終了する。ここで、動画記録開始設定モードをオンする操作は、Ｓｗ２に応じた動画記録開始設定を行うか否かを設定するメニューを開く操作である。
【００５４】
Ｓ３１１では、マイクロコンピュータ１４０は、撮像装置１００が動画記録可能状態であるか否か判定し、動画記録可能状態であれば、Ｓ３１２に進み、動画記録可能な状態でなければＳ３１３に進む。動画記録可能状態とは、動画記録が可能な動画モードのことであり、撮影モードダイヤル２１５の操作によって動画モードにするか、メニュー釦２０６を押下して、動画記録可能状態にするための設定を行うことで遷移できる。動画記録可能状態となると、動画記録用のアスペクト比を示す黒帯の表示や、動画記録可能時間などの情報を表示する。
【００５５】
Ｓ３１２では、マイクロコンピュータ１４０は画像処理回路１２３及び液晶駆動回路１２４に制御指令を出力して、図４（ａ）に例示するような、Ｓｗ２に応じた動画記録開始設定が可能なＧＵＩ画面を表示する。なお、初期設定としては、Ｓｗ２に応じた動画記録を開始しない（すなわち、動画記録可能状態であってもＳｗ２に応じて静止画撮影が行われる）設定になっているものとする。
【００５６】
Ｓ３１３では、マイクロコンピュータ１４０は画像処理回路１２３及び液晶駆動回路１２４に制御指令を出力して、図４（ｂ）に例示するような、Ｓｗ２に応じた動画記録開始設定が不可であることを示すＧＵＩ画面を表示する。
【００５７】
Ｓ３１４では、図４（ａ）に示すＧＵＩ画面上から、Ｓｗ２に応じた動画記録開始設定を選択したか判定し、選択した場合にはＳ３１５に進み、選択しなかった場合にはＳ３１６に進む。
【００５８】
Ｓ３１５では、Ｓｗ２に応じた動画記録を開始する設定情報を、不揮発性メモリ１３８に記憶する。
【００５９】
Ｓ３１６では、Ｓｗ２に応じた動画記録を開始しない設定情報を、不揮発性メモリ１３８に記憶する。
【００６０】
以上のように制御することで、撮像装置が動画記録可能状態であった場合、すなわちユーザに動画を記録する意思がある場合にのみ、Ｓｗ２に応じた動画記録を開始する設定を行うことが可能となる。これにより、静止画を撮影したい状況下で誤ってＳｗ２に応じた動画記録を開始する設定を行ってしまうことがなくなる。
【００６１】
＜動画記録及び静止画撮影＞次に、図５乃至図７を参照して、ライブビュー中にＳｗ２が通知された場合の撮像装置の動作について説明する。なお、以下の処理は、マイクロコンピュータ１４０が、不揮発性メモリ１３８に記録されたプログラムを、ＲＡＭなどの揮発性メモリのワークエリアに展開し、実行することで実現される。
【００６２】
図５において、Ｓ５００では、マイクロコンピュータ１４０は、ライブビュー開始釦２１２が押下されているか否か判定し、押下されていればＳ５０１に進み、押下されていなければＳ５１０に進む。
【００６３】
Ｓ５０１では、マイクロコンピュータ１４０は、クイックリターンミラー１１２をアップさせる。
【００６４】
Ｓ５０２では、マイクロコンピュータ１４０は、設定されている絞り値を通信端子１５６，１１０を介して、レンズシステム制御回路１５４へ送信し、絞り駆動回路１５２を介して絞り１５１を駆動する。
【００６５】
Ｓ５０３では、マイクロコンピュータ１４０は、フォーカルプレーンシャッタ１１７を開く。
【００６６】
Ｓ５０４では、マイクロコンピュータ１４０は、設定されているシャッタ速度に基づいて、タイミング制御回路１３２を介して撮像素子１２０の駆動タイミングを制御する。またＡＭＰ回路１２１により、設定されているＩＳＯ値に応じたゲインで撮影信号を増幅し、Ａ／Ｄ変換回路１２２を介してデジタル信号に変換し、画像処理回路１２３を介して、画像データをバッファメモリ１２６に取り込む。
【００６７】
Ｓ５０５では、マイクロコンピュータ１４０は、バッファメモリ１２６に取り込まれた画像データをメモリコントローラ１２７を介して、アナログ信号に変換し、液晶駆動回路１２４を介して、液晶表示部１２５に出力し、ライブビュー状態に遷移する。
【００６８】
Ｓ５０６では、マイクロコンピュータ１４０は、図３のＳ３１５又はＳ３１６で設定した設定情報を不揮発性メモリ１３８から読み出し、Ｓｗ２に応じた動画記録を開始する設定になっていれば、Ｓ５０７に進み、そうでなければＳ５０９に進む。
【００６９】
Ｓ５０７では、マイクロコンピュータ１４０は、撮像装置１００が動画記録可能状態であるか判定し、動画記録可能状態であれば、Ｓ５０８に進み、そうでなければＳ５０９に進む。
【００７０】
Ｓ５０８では、マイクロコンピュータ１４０は、図７に例示するライブビュー画面のように、Ｓｗ２では静止画撮影ができないことを示す警告表示をライブビュー画面上に表示する。通常、レリーズ釦２０１の全押しで静止画撮影を行うため、ユーザが静止画撮影を行えるものと誤解して誤ってレリーズ釦２０１を押下する可能性があるが、Ｓ５０８の警告表示を行うことで、動画記録が開始されることをユーザに識別させて誤操作を防止できる。
【００７１】
Ｓ５０９では、マイクロコンピュータ１４０は、動画開始釦２１３が押下されたか判定し、押下されていればＳ５１１に進み、押下されていなければＳ５１０に進む。
【００７２】
Ｓ５１０では、マイクロコンピュータ１４０は、Ｓｗ２が通知されているか判定し、通知されていればＳ５１２に進み、通知されていなければ本処理を終了する。なお、Ｓｗ２は、前述した通り、レリーズ釦２０１の全押し、あるいはリモートコントローラ接続端子２１４に接続されたリモートコントローラ３００のリモートレリーズ釦３０１が全押しされると通知される。
【００７３】
Ｓ５１１では、マイクロコンピュータ１４０は、動画記録開始処理を実行する。
【００７４】
Ｓ５１２では、マイクロコンピュータ１４０は、動画記録を開始するか静止画撮影を開始するか判定し、しかるべき処理を行う。Ｓ５１２については、図６で後述する。
【００７５】
＜動画記録／静止画撮影開始判定＞次に、図６を参照して、図５のＳ５１２における動画記録／静止画撮影開始判定処理について説明する。
【００７６】
図６において、Ｓ６００では、マイクロコンピュータ１４０は、撮像装置１００がライブビュー状態であるか判定し、ライブビュー状態であれば、Ｓ６０１に進み、そうでなければＳ６０４に進む。
【００７７】
Ｓ６０１では、マイクロコンピュータ１４０は、撮像装置１００が動画記録可能状態であるか判定し、動画記録可能状態であれば、Ｓ６０２に進み、動画記録可能な状態でなければＳ６０４に進む。
【００７８】
Ｓ６０２では、図３のＳ３１５又はＳ３１６で設定した設定情報を不揮発性メモリ１３８から読み出し、Ｓｗ２に応じた動画記録を開始する設定になっていれば、Ｓ６０３に進み、そうでなければＳ６０４に進む。
【００７９】
Ｓ６０３では、マイクロコンピュータ１４０は、動画記録を開始する処理を実行する。このように、Ｓｗ２に応じた動画記録が開始されるため、ユーザはレリーズ釦２０１の全押し、またはリモートコントローラ接続端子２１４に接続されたリモートコントローラ３００のリモートレリーズ釦３０１の全押しによって動画記録を開始することができる。
【００８０】
Ｓ６０４では、マイクロコンピュータ１４０は、静止画撮影を開始する処理を実行する。
【００８１】
このように、ユーザは、Ｓｗ２に応じた静止画撮影を開始する（動画記録を開始しない）設定か、動画記録を開始する設定とするかを予め設定しておくことできる。従って、動画記録を重要視するユーザは、Ｓｗ２に応じた動画記録を開始する設定にしておくことで、手振れしにくい姿勢で保持した際に操作しやすいレリーズ釦２０１を押下して動画記録を行うことができる。
【００８２】
また、リモートコントローラ３００を撮像装置１００に接続することで、撮像装置１００のボディに触れずにリモートコントローラ３００の操作で動画記録を開始することができ、更に手振れしないような環境で動画記録を行うことができる。
【００８３】
なお、Ｓｗ２に応じた動画記録を開始する設定とした場合であっても、動画記録開始指示はリモートコントローラ３００のリモートレリーズ釦３０１の操作によるＳｗ２の通知の場合のみとしてもよい。すなわち、リモートコントローラ３００を使用していない場合のＳｗ２の通知では静止画撮影を開始するようにしてもよい。この場合、例えば、図６のＳ６０１で動画記録可能状態の判定後、リモートコントローラ端子接続検知回路１３９から入力される検知信号に基づき、リモートコントローラ３００が接続されていればＳ６０２に進み、未接続ならばＳ６０４に進むようにすればよい。このようにすることで、リモートコントローラ３００が接続されている場合のみ、Ｓｗ２の通知で動画記録を開始することができ、リモートコントローラ３００が未接続の場合にはＳｗ２の通知で静止画撮影を開始することができる。
【００８４】
これにより、リモートコントローラ３００を使用して手振れの影響を抑えた動画記録を行えるとともに、撮像装置１００に設けられたレリーズ釦２０１は静止画撮影専用釦とすることができる。従って、ユーザが、現在のレリーズ釦２０１の機能が動画記録なのか静止画撮影なのか混同してしまう不都合を低減することができる。
【００８５】
なお、ユーザが予め動画記録を開始する設定を行う手段として、、図４のＧＵＩ画面において、「０：Ｓｗ２に応じた動画記録を開始しない」（図６のＳ６０４）、「１：Ｓｗ２に応じた動画記録を開始する」（図６のＳ６０３）に加え、「２：リモートコントローラが接続されている場合のみ動画記録を開始する」という選択肢を追加してもよい。
【００８６】
なお、マイクロコンピュータ１４０の制御は１つのハードウェアが行ってもよいし、複数のハードウェアが処理を分担することで、装置全体の制御を行ってもよい。
【００８７】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８８】
また、上述した実施形態においては、本発明をデジタル一眼レフカメラに適用した場合を例にして説明したが、本発明はこれに限定されず、動画と静止画を撮影可能な撮像装置であれば適用可能である。すなわち、本発明はカメラ付きパーソナルコンピュータやカメラ付きＰＤＡ、カメラ付き携帯電話端末、カメラ付き音楽プレーヤ、カメラ付きゲーム機、カメラ付き電子ブックリーダなどに適用可能である。
【００８９】
［他の実施形態］本発明は、以下の処理を実行することによっても実現される。即ち上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0005868038.tif 000002
【図２】
0005868038.tif 000003
【図３】
0005868038.tif 000004
【図４】
0005868038.tif 000005
【図５】
0005868038.tif 000006
【図６】
0005868038.tif 000007
【図７】
0005868038.tif 000008